(57)【要約】  ナビゲーションなどの画像誘導手術フィーチャに必要な、患者の顔面の目印と三次元空間の術前画像とを関連付けるために、ＥＮＴ手技の前に、多数のセンサを使用して、それらの目印の非接触式登録を行うことができる。非接触式又は軽度接触式登録は、変形し、これにより、誤った登録データを導くおそれのある、患者の肌への強く押し付ける必要性を回避することにより正確性を改善することができる。センサはまた、アレイとは対照的に、単一センサを有する携帯型プローブなどのアレイ以外の形態で実装されてもよい。
2021507763.tif 000002
【特許請求の範囲】
【請求項１】
標的領域の登録のためのシステムであって、
（ａ）センサアレイ本体と、
（ｂ）前記センサアレイ本体に取り付けられた複数の距離センサであって、前記距離センサの各々が、前記標的領域の方向に向くよう位置決めされており、かつ前記標的領域の登録点とそのセンサとの間の距離を判定するよう動作可能である、距離センサと、
（ｃ）前記センサアレイ本体に取り付けられており、前記センサアレイ本体の位置及び配向を提供するように動作可能な位置センサと、
（ｄ）少なくとも１つのプロセッサであって、前記距離センサの各々に対する前記距離、前記配向及び前記位置に基づいて、手技空間内の前記標的領域の複数の登録済の点の前記三次元位置を判定するよう構成されている、少なくとも１つのプロセッサと、
を備える、システム。
【請求項２】
前記距離センサが、長方形、正方形、丸形、三角形及び楕円形からなる群から選択される形状で配列されている、請求項１に記載のシステム。
【請求項３】
前記センサアレイ本体の面が、実質的に平面であり、前記少なくとも１つのプロセッサが、前記センサアレイ本体内に収容されている、請求項１に記載のシステム。
【請求項４】
前記距離センサが、光学センサ、超音波センサ及び磁気センサからなる群から選択されるタイプを含む、請求項１に記載のシステム。
【請求項５】
前記少なくとも１つのプロセッサが、前記複数の距離センサの各センサに関して、
（ｉ）そのセンサによって送信されるプローブ信号の原点位置を判定することであって、前記原点位置が、前記センサアレイ本体の前記位置及び前記配向に基づいて、前記手技空間内のそのセンサの位置を表示すること、及び
（ｉｉ）前記原点位置、及び前記標的領域の前記登録点に衝突する前に、前記プローブ信号が移動した距離に基づいて、そのセンサの登録済の点を判定すること、
により、前記複数の登録済の点の前記三次元位置を判定するように構成されている、請求項１に記載のシステム。
【請求項６】
前記少なくとも１つのプロセッサが、
（ｉ）前記センサアレイ本体に対する前記標的領域の配向を判定するよう、
（ｉｉ）前記標的領域及び前記センサアレイ本体が実質的に平行ではない場合に、前記複数の距離センサの各センサに関して、オフセット値を判定するよう、並びに
（ｉｉｉ）前記原点位置、前記プローブ信号が移動した前記距離及び前記オフセット値に基づいて、そのセンサに対する前記登録済の点を判定するよう、更に構成されている、請求項５に記載のシステム。
【請求項７】
前記少なくとも１つのプロセッサに前記標的領域の配向をもたらすよう構成されている標的領域配向センサを更に備える、請求項６に記載のシステム。
【請求項８】
前記少なくとも１つのプロセッサのナビゲーションプロセッサが、
（ｉ）前記複数の登録済の点と前記標的領域の一式の術前画像とを関連付けるよう、及び
（ｉｉ）前記複数の登録済の点、前記一式の術前画像、及び手技の間に使用される手術用器具の位置センサにより提供される一式の器具データの前記関連付けに基づいて、前記手技の間の画像誘導手術ナビゲーションインタフェースを設けるよう、構成されている、請求項１に記載のシステム。
【請求項９】
前記距離センサは、前記複数の登録済の点の前記位置が判定されると、前記標的位置から約１０．１６ｃｍ〜５０．８ｃｍ（約４インチ〜２０インチ）の距離で位置決めされ、かつ動作可能であるよう構成されている、請求項１に記載のシステム。
【請求項１０】
配向インジケータを更に備え、前記センサアレイ本体が前記標的領域に実質的に平行ではないときに、前記配向インジケータがユーザーに表示を提供するよう構成されている、請求項１に記載のシステム。
【請求項１１】
自動化アームを更に備え、前記自動化アームは、前記センサアレイ本体が前記標的領域に実質的に平行になるように、前記センサアレイ本体を配向するよう動作可能である、請求項１に記載のシステム。
【請求項１２】
前記複数の距離センサが、少なくとも３０個の個々のセンサを備え、前記複数の距離センサは、前記送信されたプローブ信号が、前記標的領域の実質的にすべてに衝突するように、前記センサアレイ本体上に位置決めされている、請求項１に記載のシステム。
【請求項１３】
そのプローブ信号が使用中に前記標的領域から外れる、前記複数の距離センサの任意のセンサの場合、前記少なくとも１つのプロセッサが、そのセンサからの近接データを無視するよう更に構成されている、請求項１に記載のシステム。
【請求項１４】
前記複数の登録済の点の前記三次元位置を判定するために使用したデータを収集するために、前記複数の距離センサが一旦、起動されるように構成されている、請求項１に記載のシステム。
【請求項１５】
登録プローブであって、
（ａ）ユーザーによって保持されるようになされている細長型本体であって、遠位先端部を備える、細長型本体と、
（ｂ）前記遠位先端部に位置する標的センサであって、前記遠位先端部が患者の顔面に押し付けられる必要なしに、前記標的センサが、前記遠位先端部の前の前記患者の顔面の存在を検出するよう動作可能である、標的センサと、
（ｃ）前記非接触式登録プローブの位置及び配向を提供するよう動作可能である位置センサと、
（ｄ）少なくとも１つのプロセッサであって、
（ｉ）前記標的センサを起動するよう、
（ｉｉ）前記標的センサからの信号に基づいて登録済の点として手技空間内の前記標的の前記三次元位置を判定するよう、及び
（ｉｉｉ）前記信号が前記標的センサから受信されたときに、前記登録プローブの前記位置及び配向を判定するよう、
構成されている、少なくとも１つのプロセッサと、
を備える、登録プローブ。
【請求項１６】
前記遠位先端部が前記標的のキャプチャ距離内にあるとき、前記標的センサを起動させて前記登録済の点を判定させるよう構成されている近接トリガを更に備える、請求項１５に記載の登録プローブ。
【請求項１７】
前記標的センサが、容量センサ又は抵抗センサを含む、請求項１５に記載の登録プローブ。
【請求項１８】
前記標的センサが、光学センサを含む、請求項１５に記載の登録プローブ。
【請求項１９】
前記位置センサが、加速度計に基づくセンサ、磁気に基づくセンサ、及び無線ビーコンに基づくセンサからなる群から選択されるタイプを含む、請求項１５に記載の登録プローブ。
【請求項２０】
画像誘導手術ナビゲーションのための顔面の目印を登録する方法であって、
（ａ）センサアレイの複数の距離センサが、標的領域の方を向いてこれに実質的に平行となるよう前記センサアレイを位置決めすることであって、前記標的領域が患者の顔面領域である、ことと、
（ｂ）前記センサアレイを起動して、前記標的領域内の標的点に衝突する前に、前記複数の距離センサの各々に由来するプローブ信号が移動した距離を表示する一式の前記距離をキャプチャすることと、
（ｃ）三次元空間内の前記センサアレイの位置及び配向を判定することと、
（ｄ）前記標的領域内の各標的点に関して、前記センサアレイの前記位置及び前記配向、並びに前記プローブ信号が移動した前記距離に基づいて、その標的点の前記三次元位置を判定することにより、一式の登録済の点を生成することと、
（ｅ）前記一式の登録済の点と一式の術前画像とを関連付けることによりナビゲーションデータセットを生成することと、
（ｆ）前記ナビゲーションデータセットに基づいた画像誘導手術ナビゲーションを実現することと、
を含む、方法。
【発明の詳細な説明】
【背景技術】
【０００１】
一部の症例においては、患者の解剖学的通路の拡張が望まれる場合がある。これには、副鼻腔の口の拡張（例えば、副鼻腔炎を処置するため）、喉頭の拡張、耳管の拡張、耳、鼻、又は咽頭内の他の通路の拡張などが含まれ得る。解剖学的通路を拡張する１つの方法としては、ガイドワイヤ及びカテーテルを用いて解剖学的通路内に膨張可能なバルーンを位置決めし、次いでバルーンを流体（例えば、生理食塩水）で膨張させて解剖学的通路を拡張することが挙げられる。例えば、膨張可能なバルーンを副鼻腔の口内に位置決めし、次に膨張させることによって、粘膜の切開や骨の切除を必要とせずに、口に隣接する骨を再構築することにより口を拡張することができる。その後、拡張した口によって、罹患した副鼻腔からの排液及びその副鼻腔の通気を改善することができる。このような手技を行うために使用することができるシステムは、２０１１年１月６日に公開された、「Ｓｙｓｔｅｍｓ  ａｎｄ  Ｍｅｔｈｏｄｓ  ｆｏｒ  Ｔｒａｎｓｎａｓａｌ  Ｄｉｌａｔｉｏｎ  ｏｆ  Ｐａｓｓａｇｅｗａｙｓ  ｉｎ  ｔｈｅ  Ｅａｒ，Ｎｏｓｅ  ｏｒ  Ｔｈｒｏａｔ」と題する米国特許出願公開第２０１１／０００４０５７号の教示により提示され得、その開示内容は参照により本明細書に組み込まれている。このようなシステムの一例として、Ａｃｃｌａｒｅｎｔ，Ｉｎｃ．（Ｉｒｖｉｎｅ，Ｃａｌｉｆｏｒｎｉａ）によるＲｅｌｉｅｖａ（登録商標）Ｓｐｉｎ  Ｂａｌｌｏｏｎ  Ｓｉｎｕｐｌａｓｔｙ（商標）Ｓｙｓｔｅｍがある。
【０００２】
画像誘導手術（ＩＧＳ）は、コンピュータを用いて、患者の身体内に挿入された器具の場所の、術前に得られた画像（例えば、ＣＴスキャン又はＭＲＩスキャン、３Ｄマップなど）に対するリアルタイムの相関を得ることで、コンピュータシステムが器具の現在の場所を術前に得られた画像に重ねる技術である。いくつかのＩＧＳ手技では、術野のデジタルトモグラフィスキャン（例えば、ＣＴ又はＭＲＩ、３Ｄマップなど）を外科手術の前に得る。次に、特別にプログラムされたコンピュータを用いて、デジタルトモグラフィスキャンデータをデジタルマップに変換する。外科手術中、センサ（例えば、電磁界を発生させる及び／又は外部で発生した電磁界に反応する電磁コイル）が装着された特別な器具を用いて処置を実行し、同時に、センサがコンピュータに各手術用器具の現在位置を示すデータを送る。コンピュータは、器具装着センサから受信したデータを、術前トモグラフィスキャンから作成されたデジタルマップと相関付ける。トモグラフィスキャン画像は、スキャン画像内に示される解剖学的構造に対する各手術用器具のリアルタイム位置を示す指標（例えば、クロスヘア又は照明ドットなど）と共にビデオモニタ上に表示される。これにより、外科医は、器具自体を体内のその現在の位置において直接見ることができない場合であっても、ビデオモニタを見ることによって各センサ搭載器具の正確な位置を知ることができる。
【０００３】
ＥＮＴ及び副鼻腔手術で使用できる電磁ＩＧＳシステムの例は、Ｂｉｏｓｅｎｓｅ−Ｗｅｂｓｔｅｒ，Ｉｎｃ．（Ｉｒｖｉｎｅ、Ｃａｌｉｆｏｒｎｉａ）によるＣＡＲＴＯ（登録商標）３  Ｓｙｓｔｅｍである。機能的内視鏡下副鼻腔手術（ＦＥＳＳ）、バルーン副鼻腔手術、及び／又は他のＥＮＴ手技に適用される場合、ＩＧＳシステムを使用することで、外科医は、内視鏡単独による視野によって行うよりも正確に手術用器具を動かして位置決めすることが可能になる。その結果、ＩＧＳシステムは、ＦＥＳＳ、バルーンサイナプラスティ、及び／又は通常の解剖学的目印が存在しないか又は内視鏡的に可視化することが困難である他のＥＮＴ処置の実行中に特に有用であり得る。
【０００４】
ＩＧＳシステムによって実施され得る機能の１つは、手技の間に、術前に得られた種々の画像と患者の実際の位置とを相関付けるために使用することができる、参照点を得ることである。この作業は、「患者登録」と呼ばれることがある。患者登録は、位置追跡器具（例えば、その先端位置が三次元空間で検出され得るガイドワイヤ）を使用することにより慣用的に行われ、手技により影響を受けるであろう患者の領域を追跡する。例えば、バルーン副鼻腔手術又は他のＥＮＴ手技の場合、位置追跡されたガイドワイヤ又は他の器具を、患者の顔面の１つ以上の位置を追跡又は接触するために使用することができる。各接触点では、位置の追跡システムは、三次元空間におけるそのような点を登録し、いくつかの登録済の点を使用して、三次元空間における罹患領域の位置を判定するであろう。罹患領域が、一旦、完全にマップ化される、又は登録されると、この罹患領域は、手技の実施の間に、さまざまなタイプの術前画像全体にシームレスＩＧＳ体験を実現するために、術前画像と相関付けることができる。このような方法で患者登録を行うことは、いくつかの手技に必要な接触点の数、及び患者の顔面の非剛性表面に可撓性のガイドワイヤの先端部を押し付けるという相対的な不正確さのために、時間を費やすと同時に、間違いが起こりやすい。
【０００５】
ＥＮＴ手技及び他の医療手技においてＩＧＳナビゲーションシステム及び付属する構成要素の使用を更に容易とする特徴を提供することが望ましい場合がある。ＩＧＳ及びＥＮＴ手術に関連していくつかのシステム及び方法がこれまでに製造及び使用されているが、本発明者らよりも以前に付属の特許請求の範囲に記載される本発明を製造及び使用した者はないものと考えられる。
【図面の簡単な説明】
【０００６】
以下の図面及び詳細な説明は、単に例示に過ぎず、本願発明者らによって企図される本発明の範囲を限定することを意図するものではない。
【図１】例示的な医療手技用椅子に着座している患者に使用されている、例示的な副鼻腔手術ナビゲーションシステムの概略図である。
【図２】位置感知先端部を有する例示的な登録プローブの正面斜視図である。
【図３】図２の登録プローブを使用して登録手技を行っている間の患者の正面立面図である。
【図４】例示的なセンサアレイの正面立面図である。
【図５】図４のセンサアレイの正面斜視図である。
【図６】検知のセンサアレイ区域の起動及び可視化の間の図４のセンサアレイの正面斜視図である。
【図７】図４のセンサアレイを使用して登録手技を行っている間の患者の正面立面図である。
【図８】図４のセンサアレイを使用する、外科手技領域の正面斜視図である。
【図９】例示的な画像誘導手術システムのシステム略図である。
【図１０】患者を登録するために、画像誘導外科システムを使用して行われ得る、例示的な一式のハイレベル工程を示す図である。
【図１１】図４のセンサアレイからのデータを生成して処理するため、画像誘導外科システムを用いて行うことができる、例示的な一式の工程を示す図である。
【図１２】患者を登録するために使用することができる、例示的な非接触式センサプローブの模式図である。
【図１３】例示的な非接触式センサプローブの先端部の模式図である。
【発明を実施するための形態】
【０００７】
本発明者らは、例示目的として、画像誘導手術の状況において適用される、本明細書において開示される新規技術を考案した。本発明者らによる技術の開示された用途は、画像誘導手術の技術分野において長年、感じられていたものの満たされていなかったニーズを満たしているが、本発明者らの技術は、本明細書に記載されている正確な方法で実施されることに限定されるものでなく、当業者が本開示に照らし合わせて、過度の実験を行うことなく、他の方法で実施可能であることが理解されるべきである。したがって、本明細書に記載される実施例は、単なる例示であると理解されるべきであり、限定的なものとして扱われるべきではない。
【０００８】
本明細書に記載の教示、表現、変形、実施例などのうちのいずれか１つ以上を、本明細書に記載の他の教示、表現、変形、実施例などのうちのいずれか１つ以上と組み合わせることができる点も更に理解される。したがって、以下に記載されている教示、表現、変形、実施例など）、互いに独立して考慮されるべきではない。本明細書の教示に照らして、本明細書の教示を組み合わせることができる種々の好適な方法が、当業者には直ちに明らかとなろう。このような改変及び変形形態は、「特許請求の範囲」内に含まれるものとする。
【０００９】
Ｉ．例示的な画像誘導手術ナビゲーションシステム
図１は、画像誘導を使用してＥＮＴ手技の実施を可能にする例示的なＩＧＳナビゲーションシステム（１００）を示す。一部の例では、ＩＧＳナビゲーションシステム（１００）は、拡張器具アセンブリ（１０）を使用して、副鼻腔口を拡張するため、又は何らかの他の解剖学的通路（例えば、耳、鼻又は咽頭内部など）を拡張する手技の間に使用される。本明細書に記載されている構成要素及び動作性を有することに加えて又はその代わりに、ＩＧＳナビゲーションシステム（１００）は、以下の文献の教示の少なくとも一部にしたがって構成され、動作可能となり得る。すなわち、米国特許第８，７０２，６２６号、発明の名称「Ｇｕｉｄｅｗｉｒｅｓ  ｆｏｒ  Ｐｅｒｆｏｒｍｉｎｇ  Ｉｍａｇｅ  Ｇｕｉｄｅｄ  Ｐｒｏｃｅｄｕｒｅｓ」（２０１４年４月２２日発行）（開示内容は参照により本明細書に組み込まれている）；米国特許第８，３２０，７１１号、発明の名称「Ａｎａｔｏｍｉｃａｌ  Ｍｏｄｅｌｉｎｇ  ｆｒｏｍ  ａ  ３−Ｄ  Ｉｍａｇｅ  ａｎｄ  ａ  Ｓｕｒｆａｃｅ  Ｍａｐｐｉｎｇ」（２０１２年１１月２７日発行）（開示内容は参照により本明細書に組み込まれている）；米国特許第７，７２０，５２１号、発明の名称「Ｍｅｔｈｏｄｓ  ａｎｄ  Ｄｅｖｉｃｅｓ  ｆｏｒ  Ｐｅｒｆｏｒｍｉｎｇ  Ｐｒｏｃｅｄｕｒｅｓ  ｗｉｔｈｉｎ  ｔｈｅ  Ｅａｒ、Ｎｏｓｅ、Ｔｈｒｏａｔ  ａｎｄ  Ｐａｒａｎａｓａｌ  Ｓｉｎｕｓｅｓ」（２０１０年５月１８日発行）（開示内容は参照により本明細書に組み込まれている）；米国特許第２０１４／０３６４７２５号、発明の名称「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１４年１２月１１日公開）（開示内容は参照により本明細書に組み込まれている）；米国特許出願公開第２０１６／０３１００４２号、発明の名称「Ｓｙｓｔｅｍ  ａｎｄ  Ｍｅｔｈｏｄ  ｔｏ  Ｍａｐ  Ｓｔｒｕｃｔｕｒｅｓ  ｏｆ  Ｎａｓａｌ  Ｃａｖｉｔｙ」（２０１６年１０月２７日発行）；及び米国特許出願公開第２０１１／００６０２１４号、発明の名称「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１１年３月１０日公開）（開示内容は参照により本明細書に組み込まれている）。
【００１０】
本例のＩＧＳナビゲーションシステム（１００）は、馬蹄形フレーム（１０４）に一体化された一式の磁界発生器（１０６）を含む磁界発生器アセンブリ（１０１）を備える。磁界発生器（１０６）は、患者の頭部の周りに周波数の異なる交流磁界を発生させるように動作可能である。それによって、磁界発生器（１０６）は、患者の頭部に挿入されるナビゲーションガイドワイヤ（１３０）の位置の追跡が可能になる。磁界発生器（１０６）を形成及び駆動するために使用することができるさまざまな好適な構成要素は、本明細書における教示を鑑みると、当業者には明白となろう。
【００１１】
本例では、フレーム（１０４）が椅子（１１８）に装着され、フレーム（１０４）が患者（Ｐ）の頭部（Ｈ）に隣接して配置されるように患者（Ｐ）は椅子（１１８）に着座している。単なる例として、椅子（１１８）及び／又は電界発生器アセンブリ（１０１）は、米国特許出願第６２／５５５，８２４号、発明の名称「Ａｐｐａｒａｔｕｓ  ｔｏ  Ｓｅｃｕｒｅ  Ｆｉｅｌｄ  Ｇｅｎｅｒａｔｉｎｇ  Ｄｅｖｉｃｅ  ｔｏ  Ｃｈａｉｒ」（２０１７年９月８日出願）（開示内容は参照により本明細書に組み込まれている）の少なくとも一部の教示にしたがって構成され、動作可能となり得る。
【００１２】
本例のＩＧＳナビゲーションシステム（１００）は、ＩＧＳナビゲーションシステム（１００）の磁界発生器（１０６）及び他の要素を制御するプロセッサ（１１０）を更に備える。例えば、プロセッサ（１１０）は、磁界発生器（１０６）を駆動して電磁界を発生させて、ナビゲーションガイドワイヤ（１３０）からの信号を処理し、患者（Ｐ）の頭部（Ｈ）内におけるナビゲーションガイドワイヤ（１３０）内のセンサの場所を判定するように動作可能である。プロセッサ（１１０）は、１つ以上のメモリと通信する処理ユニットを備える。本例のプロセッサ（１１０）は、キーパッド及び／又はマウス若しくはトラックボールなどのポインティングデバイスを含む動作制御部（１１２）を備えるコンソール（１１６）内に装着されている。医師は、外科手技を行いながら、プロセッサ（１１０）と相互作用する動作制御部（１１２）を使用する。
【００１３】
連結ユニット（１３２）は、ナビゲーションガイドワイヤ（１３０）の近位端部に固定されている。本例の連結ユニット（１３２）は、コンソール（１１６）とナビゲーションガイドワイヤ（１３０）との間でデータ及び他の信号の無線通信を提供するように構成されている。本例の連結ユニット（１３２）はコンソール（１１６）と無線で連結しているが、一部の他の変形形態は、連結ユニット（１３２）とコンソール（１１６）との間を有線連結してもよい。連結ユニット（１３２）に組み込むことができるさまざまな他の好適な特徴部及び機能が、本明細書における教示を鑑みると当業者に明白となろう。
【００１４】
ナビゲーションガイドワイヤ（１３０）は、上記の拡張器具（２０）中のガイドワイヤ（３０）の代わりとして使用されてもよい。ナビゲーションガイドワイヤ（１３０）は、磁界発生器（１０６）によって発生する磁界内の移動に応答するセンサ（図示せず）を含む。本例では、ナビゲーションガイドワイヤ（１３０）のセンサは、ナビゲーションガイドワイヤ（１３０）の遠位端部に少なくとも１つのコイルを備える。このようなコイルが磁界発生器（１０６）によって発生された電磁界内に位置決めされると、その磁界内でのコイルの移動によってコイルに電流が発生することができ、この電流はナビゲーションガイドワイヤ（１３０）内の導電路に沿って、更に連結ユニット（１３２）を介してプロセッサ（１１０）に通信され得る。この現象により、ＩＧＳナビゲーションシステム（１００）は、三次元空間内（すなわち、患者（Ｐ）の頭部（Ｈ）内）のナビゲーションガイドワイヤ（１３０）の遠位端部の場所を判定することができる。これを達成するため、プロセッサ（１１０）は、ナビゲーションガイドワイヤ（１３０）の遠位端部の位置座標を、ナビゲーションガイドワイヤ（１３０）内のコイル（単数又は複数）の位置関連信号から計算するアルゴリズムを実行する。
【００１５】
プロセッサ（１１０）はプロセッサ（１１０）のメモリに格納されたソフトウェアを用いてシステム（１００）を較正し、動作させる。このような動作は、磁界発生器（１０６）を駆動すること、ナビゲーションガイドワイヤ（１３０）からのデータを処理すること、動作制御部（１１２）からのデータを処理すること、及びディスプレイスクリーン（１１４）を駆動することを含む。プロセッサ（１１０）は、患者の頭部（Ｈ）のビデオカメラ画像、患者の頭部（Ｈ）のＣＴスキャン画像、及び／又は患者の鼻腔内及び患者の鼻腔に隣接する解剖学的構造のコンピュータ生成三次元モデルに関してナビゲーションガイドワイヤ（１３０）の遠位端部の位置を示すディスプレイスクリーン（１１４）を介して、リアルタイムでビデオを提供するように更に動作可能である。ディスプレイスクリーン（１１４）は、外科手技中にこのような画像を同時に及び／又は互いに重ねて表示することができる。このように表示される画像は、ナビゲーションガイドワイヤ（１３０）などの患者の頭部（Ｈ）に挿入される器具のグラフィック表示も含んでもよく、こうして、操作者は、その実際の場所で、リアルタイムで器具の仮想レンダリングを視認することができる。単なる例として、ディスプレイスクリーン（１１４）は、米国特許出願公開第２０１６／０００８０８３号、発明の名称「Ｇｕｉｄｅｗｉｒｅ  Ｎａｖｉｇａｔｉｏｎ  ｆｏｒ  Ｓｉｎｕｐｌａｓｔｙ」（２０１６年１月１４日公開）（開示内容は参照により本明細書に組み込まれている）の教示の少なくとも一部にしたがって画像を提供してもよい。操作者が内視鏡も使用している場合には、内視鏡画像をディスプレイスクリーン（１１４）に表示することもできる。
【００１６】
ディスプレイスクリーン（１１４）によって提供される画像は、操作者が患者の頭部内で器具を操縦する、及び他の方法で操作する一助となり得る。ナビゲーションガイドワイヤ（１３０）は、拡張器具アセンブリ（１０）のガイドワイヤ（３０）の代替物として使用される場合、副鼻腔の口を拡張するため又はいくつかの他の解剖学的通路（例えば、耳、鼻又は咽頭などの中）を拡張するための手技の実行中に、患者内の拡張器具アセンブリ（１０）の器具使用のナビゲーションを容易にし得る。拡張器具アセンブリ（１０）の他の構成要素は、以下に限定されないが、拡張カテーテル（４０）を含むナビゲーションガイドワイヤ（１３０）のセンサのようなセンサを組み込んでもよいことが、やはり理解されるべきである。
【００１７】
ＩＩ．画像誘導手術システムの登録及び較正を行うための例示的な接触器具
上記のとおり、さまざまなガイドワイヤを使用して、患者の顔面上のさまざまな点に位置追跡されたガイドワイヤ先端部を接触させることにより、ＩＧＳナビゲーションシステム（１００）における登録及び較正を行うことができる。このようなガイドワイヤは、その性質上、より薄いか又は可撓性であってもよい。この可撓性のために、操作者が単独でガイドワイヤを把持すること、及びガイドワイヤの遠位先端部を操作して患者の頭部上の登録点に接触することが困難になることがある。例えば、ガイドワイヤの遠位先端部は患者の頭部との係合に応答して撓む傾向があり得、それによって登録の精度を損なうおそれがある。したがって、ＩＧＳナビゲーションシステム（１００）における登録及び較正の過程の間に、ガイドワイヤに少なくとも一時的に剛性をもたらすことが望ましいことがある。このような剛性の付与により、操作者のガイドワイヤの取り扱いをより容易にすることができ、ガイドワイヤの遠位先端部が患者の頭部との係合に応答して撓むのを防止することができ、最終的に、より正確な登録を実現することができる。
【００１８】
図２は、上記のＩＧＳナビゲーションシステム（１００）などのＩＧＳナビゲーションシステムを登録して較正するために、別の方法で薄いガイドワイヤに剛性を一時的にもたらすために使用することができる例示的な接触に基づく登録及び較正器具（１３４）を示す。この例の較正器具（１３４）は、遠位端部（１３６）及び近位端部（１３７）を有する細長型剛性本体（１３８）を備える。一部の変形形態では、細長型本体（１３８）は、透明なポリカーボネート材料から形成される。遠位端部（１３６）は、最終的に、丸みのある遠位先端部（１３５）で終端する、縮径部分につながるテーパを含む。
【００１９】
ガイドワイヤ（１４０）は、細長型剛性本体（１３８）に挿入され得、その結果、ガイドワイヤ（１４０）の端部は、丸みのある遠位先端部（１３５）の内側に支えられている。ガイドワイヤ（１４０）の端部は位置追跡されるので、丸みのある遠位先端部（１３５）を使用して、患者の顔面上の登録点に接触させて、これにより、細長型剛性本体（１３８）の壁の既知の幅のみによって隔離されている、登録点の近接近部内に、位置追跡された先端部が置かれる。この構成では、器具（１３４）が使用されて、脚踏みペダル又はボタンとの相互作用、音声命令の発声又は別の類似入力などのこのシステムへの別の入力を提供して、登録接触部を記録させると同時に、丸みのある遠位先端部（１３５）を各登録点に接触させることによって、ＩＧＳナビゲーションシステム（１００）に関連する登録及び較正過程を行うことができる。一部の変形形態では、較正器具（１３４）は、遠位先端部（１３５）が患者の顔面に接触したときを検知する接触センサ（図示せず）を含む。一部のこのような型では、操作者は、接触センサが遠位先端部（１３５）と患者の顔面との間の接触を登録するために、閾値に打ち勝つほど十分な力で、患者の顔面に遠位先端部（１３５）を押し付けなければならない。
【００２０】
このシステムは、遠位先端部（１３５）がガイドワイヤ（１４０）の位置追跡した先端部がそれらの登録点に接触する代わりに、患者の頭部又は顔面上の登録点に接触すると同時に、細長型剛性本体（１３８）の壁の幅が固定されて、既知であるという事実を考慮した登録及び較正アルゴリズムにおいて必要な調節を容易に行うことができるということをやはり理解すべきである。
【００２１】
図２の較正器具（１３４）又はプローブは、登録過程の間に、可撓性ガイドワイヤ（１４０）に剛性をもたらすことができ、これにより、不正確さが生じる原因の１つに対処することができる（例えば、接触中に、位置追跡されたガイドワイヤを曲げることによる）。しかし、遠位先端部（１３５）は、登録過程の間に、患者の頭部又は顔面に押し付けられるので、それらの表皮の可撓性又は柔軟性のために、例えば発生する不正確さの他の原因に対処しない。患者の顔面上のさまざまな点は、較正器具（１３４）の力で数ミリメートル分、押し込まれ得、これにより、ＥＮＴ又は他の外科手技の状況では、有意な不正確性をもたらすおそれがある。
【００２２】
図３は、較正器具（１３４）を使用する患者登録手技を示す患者の正面立面図を示す。図３の図示は、手技中のＩＧＳシステム（１００）のディスプレイに表示され得、較正器具（１３４）を使用して較正又は登録されなければならない１つ以上の登録点（１４２）を示すことができる。登録点は、例えば、それらが較正器具（１３４）の接触により登録される前に、１つの色で示されることができ、較正器具（１３４）の接触後に、異なる色に変更することができるか、又はそうでない場合、較正を表示することができる。一部の変形形態では、１つ以上のレーザを使用して、患者の顔面上に登録点（１４２）を投影し、こうして、操作者は、レーザにより光を照射した各点において、患者の顔面と遠位先端部（１３５）とを係合しなければならない。
【００２３】
上述に加えて、較正器具（１３４）は、その開示が参照により本明細書において組み込まれている、２０１７年５月４日に公開の「Ｓｙｓｔｅｍ  ａｎｄ  Ｍｅｔｈｏｄ  ｆｏｒ  Ｎａｖｉｇａｔｉｏｎ  ｏｆ  Ｓｕｒｇｉｃａｌ  Ｉｎｓｔｒｕｍｅｎｔｓ」と題する、米国特許出願公開第２０１７／０１１９４７３号の少なくとも一部の教示に従い、構成されて動作可能であり得る。
【００２４】
図３の例から分かるとおり、この登録は、完了するために、患者の顔面のさまざまな点に、較正器具（１３４）を５つ接触させることが必要となり得る。現実世界の使用では、登録点の数は、十数個、又は数百個に及ぶことさえあり得る。この文脈において、必要な各点の特定、配置及び接触を行うには、時間を非常に費やす過程となり得ることが明白となる。
【００２５】
ＩＩＩ．画像誘導外科システムを登録及び較正するための例示的なセンサアレイ
図４〜図６は、接触に基づく較正器具（１３４）の代わり、又はこれに加えて、患者登録を行うために使用することができる例示的なセンサアレイ（２００）を示す。例示的なセンサアレイ（２００）は、ケース（２０２）、複数のセンサ（２０４）及び位置センサ（２０６）を備える。複数のセンサ（２０４）は、例えば、プローブ信号（例えば、投影光、超音波、電磁波など）を送信し、次に、対応する応答信号（例えば、投影光、反射音、反射電磁波など）を受信する、一式の光学センサ、超音波センサ、又は他の近接センサを備えてもよい。次に、プローブ信号の送信とその応答の受信との間の期間、又は応答信号の強度若しくは他の特徴が使用されて、センサの信号トランスミッタとプローブ信号の衝突する標的との間の距離を判定することができる。本明細書における教示を鑑みると、センサ（２０４）がとり得る他の好適な形態が、当業者に明白になるであろう。
【００２６】
位置センサ（２０６）は、三次元空間内のセンサアレイ（２００）の位置及び配向を判定するために使用され得る、１つ以上の加速度計センサ、磁気センサ又は無線ビーコンセンサを備えてもよい。加速度計に基づくセンサは、中性点からのセンサアレイ（２００）の移動及び回転を判定することが可能であり、このセンサは、任意の時間に、そのリアルタイムな位置を判定するために使用することができる。磁気センサ又は他の無線センサは、ナビゲーションガイドワイヤに関連して記載されているものと同様の方法で動作することができ、センサアレイ（２００）に位置している追跡要素又は受信要素、及び手技領域のどこかに位置しており、かつ任意の時間に追跡要素の位置を特定するよう構成されている追跡デバイス又は送信デバイスを必要とすることがある。位置センサ（２０６）を形成するために使用することができる他の好適な構成要素は、本明細書における教示を鑑みると、当業者には明白となろう。
【００２７】
上で明記したとおり、患者登録を使用して、患者の顔面の目印、又は三次元空間内の他の外科手術部位を特定することができ、その結果、一色の術前に取得した画像を較正することができるか、又はそうでない場合、実世界の手技設定内で同期され得る。これを実現するため、三次元空間内のセンサアレイ（２００）の位置は既知でなければならず、センサアレイ（２００）と患者の顔面又は他の外科手術部位との間の距離は既知でなければならない。次に、これらの変数を使用して、患者の顔面上の目印の位置若しくは他の位置、又は三次元空間内の他の外科手術部位を判定することができる。例えば、レーザセンサの場合、レーザビームは、ソースセンサ（２０４）によって発生されることができ、レーザビームは、ｘミリメートルの距離を横切って標的に衝突することができる。レーザビームの一部は、標的外に反射され、このような反射光又は散乱光は、ソースセンサ（２０４）によって検出される。次に、レーザ投影と反射検知との間の時間を使用して、ソースセンサ（２０４）と標的とを隔離するｘミリメートルの距離を判定することができる。ｚ軸に沿ったソースセンサ（２０４）の位置が、「Ｚ」である場合、位置センサ（２０６）によって判定されるとおり、ｚ軸に沿った標的の位置を（Ｚ＋／−ｘ−ミリメートル）として判定することができる。
【００２８】
図５において分かるとおり、複数のセンサ（２０４）は、ケース（２０２）のｚ軸（２２０）に沿った同じ点で位置決めされている。この構成は、適切となり得るが、センサ（２０４）は、センサ（２０４）の最初の位置が、位置センサ（２０６）に対して実質的に静止状態にあるかぎり、相殺され得るので、（例えば、異なる形状のケース（２０２）を可能にするよう）ｚ軸（２２０）に沿った異なる点に置かれてもよいことをやはり理解すべきである。これを支援するため、ケース（２０２）は、プラスチック又は金属などの実質的に剛性の任意の材料から作製され得、その結果、複数のセンサ（２０４）が置かれているケース（２０２）の前面は、それ自体の重量下で、又は使用中に曲がることはない。このような曲がりは、位置センサ（２０６）によって報告される、ｚ軸（２２０）に沿ったセンサ（２０４）の初期位置の変化をもたらし、三次元内の標的の位置の判定を誤らせるおそれがある。
【００２９】
三次元空間内のセンサアレイ（２００）の位置を提供することができることに加えて、位置センサ（２０６）はまた、三次元空間内のその配向を判定するために使用されてもよい。センサアレイ（２００）が、その前面が標的表面に完全に平行になるように配向するができない場合に有用になり得る。このことは、センサアレイ（２００）の周りの領域に臨床医が接近する空間を可能にする手技領域内の空間制限、人為的間違い又は他の原因のために起こり得る。標的への非平行配向は、考慮されない場合、ｚ軸に沿ったケース（２０２）が曲がる可能性と同じ理由のために、不正確さがもたらされ得る。例えば、図５を参照すると、及び標的が、図５において配向しているとおり、センサアレイ（２００）と完全に平行であると仮定すると、センサアレイ（２００）が、ｘ軸（２２２）の周りにわずかでも回転することになる場合、センサアレイ（２００）の上側にあるセンサ（２２６）は、同じ列の低い方のセンサ（２２８）と比べると、標的に数ミリメートル近づく方向にシフトすることができる。この配向が既知でもなく、考慮もされない場合、上側のセンサ（２２６）により検出される外科手術部位の点の位置は、三次元空間内部で、不正確に登録されて較正されるおそれがある。
【００３０】
位置センサ（２０６）の配向判定能力は、センサアレイ（２００）が、標的と完全に平行ではないことを検出することができることであり、又はセンサアレイ（２００）は再配向される必要があることを操作者に警告することができることである。代替的に、センサアレイ（２００）（及び／又は、他の一部のシステム構成要素）は、非平行配向を考慮するための複数のセンサ（２０４）の個々のセンサ（２０４）の各々によってもたらされるデータを調節することができる。このことは、例えば、その配向のため、上側のセンサ（２２６）は、下側のセンサ（２２８）に比べて、標的にｘミリメートル近いことを判定すること、並びにしたがって較正及び登録の間の計算値の調節を含むことができる。
【００３１】
図８は、センサアレイ（２００）が位置決めされて配向されておらず、その結果、標的と実質的に平行となっている例示的なシナリオを示している。分かるとおり、センサアレイ（２００）は、アーム（２１６）から吊り下げられており、標的領域（２１１）の上に配置しているが、アーム（２１６）上に配向しておらず、したがって、センサアレイ（２００）及び標的領域（２１１）に平行に引かれる交差線（２１８、２２０）によって観察され得るとおり、標的領域（２１１）に実質的に平行にある。ある実装形態では、アーム（２１６）は、幅広い範囲の手作業運動又は自動化運動を実現して、標的領域（２１１）に対する、取り付けられた幅広い範囲のセンサアレイ（２００）の位置及び配向を支持することができる。一部の実装形態は、例えば、センサアレイが、標的領域（２１１）に実質的に平行となると、ユーザーに通知するよう構成されている、照明式インジケータ、可聴式インジケータ又は触覚式インジケータを備えてもよい、配向インジケータをやはり含んでもよく、これにより、センサアレイ（２００）の手動による位置決め及び配向を支援することができる。自動化機構を備えるアーム（２１６）を含む実装形態では、アーム（２１６）は、実質的に平行な配向を維持するために、ユーザーによって起動又は手作業により動かされるにつれて、標的領域（２１１）に対する、センサアレイ（２００）の位置及び配向を自動的に調節することができる。
【００３２】
図６は、複数のセンサ（２０４）の感知範囲又は検知範囲内にある領域（２０８）のシミュレートした可視化による起動の間のセンサアレイ（２００）を示している。図７は、例示的なセンサアレイ（２００）により検出及び登録が同時に行われ得る、患者の顔面上のいくつかの登録点のシミュレートした可視化を示している。分かるとおり、複数の登録点（２１０）は、センサアレイ（２００）の大きな検知領域（２０８）によって同時に登録され得る。患者の頭部のサイズとセンサアレイ（２００）の間の変動により、これらのセンサの一部によって送信されたプローブ信号は、患者の頭部を完全に見失うことがある（２１２）。このような場合、応答信号は、ソースセンサによって受信されないことがあるか（例えば、付帯標的への距離が大きすぎる場合、又は患者の頭部が、応答信号をもたらさない表面に置かれた場合）、又は応答信号が受信され得、標的までの計算距離は、患者の顔面を超える点が測定されたと判定する。このような場合、患者の顔面に衝突しない、センサによって生成したデータは、フィルターにかけられ得るか、又はそうではない場合、登録の目的には無視されると同時に、三次元空間における患者の顔面の目印を位置付けるために、有効な登録点（２１０）が登録され得る。
【００３３】
例示的なセンサアレイ（２００）の使用は、接触式較正器具（１３４）と比べて、いくつかの利点を実現することができる。図６〜図７で分かるとおり、センサアレイ（２００）は、複数の点（２１０）を同時に登録することができ、センサアレイ（２００）のサイズ並びに／又は複数のセンサ（２０４）の数及び配列をさまざまにすることによって、任意の所望の数又は罹患領域にスケールを合わせることができる。接触式較正器具（１３４）によって提供される潜在的に時間を費やす点ごとの登録と比べて、センサアレイ（２００）は、標的に実質的に平行にこのセンサアレイを単に位置決めして、配向させて（例えば、患者の上にあるセンサアレイ（２００）に吊り下げるために、図８に示されているアーム（２１６）などの、アーム、ギンブル（gimble）又は他の装置を移動させることによる）、センサと標的との間の距離をキャプチャするようセンサアレイ（２００）を起動することにより登録を完了することができ、次に、この登録を三次元空間における標的の位置を計算するために使用することができる。登録に必要な時間の短縮により、手技中の患者の体験が改善されて、手技室、機器及び従事者の一層効率の高い利用を可能にすることができる。更に、議論したとおり、例示的なセンサアレイ（２００）などの非接触式登録システムの使用により、三次元空間内の標的の一層正確な位置決めをすることができ、なぜなら、このシステムは、接触式較正器具（１３４）が可撓性となること、又はこの過程に不正確な登録データを導入することになる患者の肌の変形を低減又は排除するからである。
【００３４】
ＩＶ．画像誘導外科システムを登録及び較正するためのセンサアレイを使用する例示的方法
図１０〜図１１は、図９に示されているものなどのシステムによって行われ得る、画像誘導外科システムの非接触式顔登録の方法を示している。図９の例示的なシステムは、画像誘導手術又はＩＧＳシステム（３００）、画像サーバ（３０２）、手技領域位置決めシステム（３０６）、及び登録センサ（３０４）を備える。記載されている例示的なシステムの構成要素及びその機能は、単なる例示に過ぎず、さまざまな方法で実施することができることを理解すべきである。例えば、一部の実装形態では、一部の特徴は、ＩＧＳシステム（３００）、登録センサ（３０４）のどちらか一方、又はそれらの両方によって行われ得る。同様に、一部の構成要素を組み合わせてもよく、又は更なる構成要素に分割されてもよい。例えば、ＩＧＳシステム（３００）によって行われる機能は、いくつかの構成要素（例えば、ＩＧＳシステム（３００）、クラウドコンピューティングシステム、携帯型ＩＧＳデバイスなど）全体に行うことができるか、又はＩＧＳシステム（３００）及び画像サーバ（３０２）の機能は、単一構成要素又はデバイスにより組み合わされて行われ得る。このような変形形態は、この開示に照らしあわせると当業者に明白となろう。
【００３５】
ＩＧＳシステム（３００）は、プロセッサ及びメモリ、記憶装置、ディスプレイ、並びにさまざまなユーザー及び情報伝達インタフェースなどの構成要素を有するコンピュータを備えてもよい。ＩＧＳシステム（３００）は、１つ以上の領域位置決めシステム（３０６）、登録センサ（３０４）、画像サーバ（３０２）及び／又は他のデータソースからの情報を受信するよう構成され得る。ＩＧＳシステムによって受信された情報を使用して、外科手技の実施を支援するための、画像、音声、ビデオ及びソフトウェア手段などの情報を用意して表示することができるか、又は他の方法で提供することができる。受信情報は、例えば、術前画像、ビデオ、並びに画像サーバ（３０２）又は別のシステムからのデータ、登録センサ（３０４）からの顔面の目印登録、器具の手技領域位置決めデータ及び配向データ、並びに領域位置決めシステム（３０６）からの手技領域内の他の対象物、並びに他の類似データを含むことができる。このデータを使用して、ＩＧＳシステム（３００）は、例えば、三次元空間内のいくつかの位置追跡デバイスを追跡して、その三次元空間内に、登録済み患者をマッピングすることができ、その結果、術前画像は、手技の間に生成した画像と正確に関連付けられ得る。
【００３６】
画像サーバ（３０２）は、手技前情報、手技情報及び手技後情報を格納することができる１つ以上の遠隔に又は現場に設置されたサーバとすることができ、このサーバは、術前画像、器具の位置及び配向、手技中及び手技後のデバイス及び他の追跡した対象、又は手技の成績の評価の一助となり得る他の計量値を含むことができる。
【００３７】
登録センサ（３０４）は、例えば、センサアレイ（２００）、又は図１２の例示的なセンサプローブ（５００）などの別の登録器具を備えてもよい。登録センサ（３０４）は、センサアレイ（２００）に関連して記載されているとおり、三次元空間内の標的領域（２１１）（例えば、患者の顔面の目印）を配置するために必要な情報の一部又はすべてを提供するよう構成されている。これには、例えば、ソースセンサ（２０４）と標的との間の距離を判定することを含むことができる。例えば、位置センサ（２０６）に関連して記載されている三軸センサであってもよい、領域位置決めシステム（３０６）は、三次元空間に標的領域（２１１）を配置するために必要な任意の追加情報を提供することができ、その情報には、例えば、ソースセンサ（２０４）の位置の判定を含むことができる。図９のシステムの構成要素は、ＩＧＳシステム（３００）と通信状態にあることができ、一部の実装形態では、有線及び無線通信のさまざまな形態を介して、互いに通信状態にあることができる。
【００３８】
図１１は、登録センサ（３０４）を使用する、三次元空間中の患者を登録するため、図９のシステムを使用して行うことができる、一式のハイレベル工程を示しており、これにより、ＩＧＳナビゲーション特徴が、ＩＧＳシステム（３００）において実現されることが可能となろう。例示的な工程は、術前画像を受信する工程（ブロック４００）、患者登録を受信する工程（ブロック４０２）、術前画像と患者登録とを相関付ける工程（ブロック４０４）、及びＩＧＳナビゲーションの提供（ブロック４０６）を含む。術前画像を受信する工程は、例えば、画像サーバ（３０２）、ローカルストレージ又は別の類似のデバイスからの１つ以上のデータセットをリクエスト及び／又は受信する工程を含むことができる。受信情報は、次に、ＩＧＳシステム（３００）にローカルに格納され得、容易に利用可能な状態に維持されて、その結果、ＩＧＳナビゲーションの間に素早くアクセスすることができる。
【００３９】
患者登録を行う工程（ブロック４０２）は、患者の顔面の目印若しくは他の物理的特徴、又は他の標的領域（２１１）特徴を配置するために使用され得る、１つ以上の登録点の形態での、登録センサ（３０４）と標的領域（２１１）との間の距離を表示する一式のデータを生成するため、登録センサ（３０４）を起動する工程を含んでもよく、登録センサ（３０４）の位置を判定するための領域位置決めシステム（３０６）の使用を含むことができ、その結果、患者の顔面は、領域位置決めシステム（３０６）に対する三次元空間内に配置され得る。術前画像と登録データとの相関付けは、１つ以上の術前画像を選択する工程、及び標的領域（２１１）に対して三次元空間内に登録データをマッピングする工程を含むことができる。ＩＧＳナビゲーションを提供する工程（ブロック４０６）は、次に、標的領域（２１１）に対する術前画像の正確な三次元マッピングを使用することにより行われ得る。これにより、ＩＧＳシステム（３００）は、ＩＧＳナビゲーションが使用される手技の間に、術前画像に照らして、現在追跡した対象物（例えば、ガイドワイヤ、又は他の位置追跡された器具）の位置を正確に表示することが可能になる。
【００４０】
図１１は、登録センサ（３０４）を用いて、患者登録（ブロック４０２）を行なうときに行われ得る例示的な一式の工程を示す。これらの工程は、ＩＧＳシステム（３００）、登録センサ（３０４）、並びに／又は適切な処理容量、メモリ容量及び格納容量を有する別のデバイスによって行うことができ、いくつかの実装形態では、特定の工程の本質が、前工程の完了時にのみ利用可能状態になる、入力値としてデータを必要としないかぎり、さまざまな順序で、又は並行して行われ得る。ＩＧＳシステム（３００）は、登録センサ（３０４）及び標的領域（２１１）が実質的に平行かどうかを判定するため、それらに関連する配向データに基づく配向オフセット（ブロック４０８）を判定することができる。これは、標的領域（２１１）の現在の配向を判定するため、患者又は患者用テーブル若しくは椅子よって装着された又はこれらに取り付けられた器具の一部において位置決めセンサを使用する、登録センサ（３０４）の現在の配向を判定する位置決めセンサ（３０６）によって提供されるデータ、又は登録センサ（３０４）及び／若しくは標的領域（２１１）のために構成された静的配向値であって、前の時点に自動的に又は手作業により判定されて（例えば、患者用椅子を既知の配向で静的に位置決めすることによる）、かつＩＧＳシステム（３００）内に構成され得る上記の静的配向値を使用することによって提供されるデータを使用することを含む。
【００４１】
登録センサ（３０４）及び標的領域（２１１）が実質的に平行でない場合に、配向オフセットが一旦、判定されると（ブロック４０８）、ＩＧＳシステム（３００）は、このオフセットを考慮する１つの変数を調節することができる（ブロック４１０）。これは、例えば、既に記載したとおり、非平行配向を考慮するために、ソースセンサと標的との間の測定距離を長くするか、又は短くすることを含むことができる。ＩＧＳシステム（３００）は、登録センサ（３０４）のための、ソース位置（ブロック４１２）も判定することができる。配向を判定することと同様に、これは、位置センサ（２０６、５０６）又は他の領域位置決めシステム（３０６）からの情報を使用して、又は登録センサ（３０４）が静的に正しい位置に固定されるのが可能な所定の静止値を使用して、現在の位置を判定することを含むことができる。
【００４２】
ＩＧＳシステム（３００）はまた、登録センサ（３０４）の１つ以上のセンサを起動することによりプローブ信号を送信し（ブロック４１４）、反射された、反響された、又は他には、標的領域（２１１）から戻されて、フォトアイ、マイクロホン又は他のレシーバによってキャプチャされた応答信号を受信する（ブロック４１６）ことができる。ＩＧＳシステム（３００）は、応答信号（ブロック４１６）を受信した後、信号の移動時間及び距離を判定することができる（ブロック４１８）。信号の移動距離を判定する際（ブロック４１８）、ＩＧＳシステムは、より容易に判定され得る特定のセンサに対して任意の配向オフセットを考慮することができる（ブロック４１０）。信号移動距離（ブロック４１８）及び信号出所位置（ブロック４１２）が判定されて、ＩＧＳシステム（３００）に利用可能になった後、このシステムは、標的領域（２１１）の位置を判定して（ブロック４２０）して、これを格納することができる。標的位置が一旦、既知になると（ブロック４２０）、ＩＧＳシステムは、その位置を術前画像（ブロック４０４）と標的領域（２１１）とを相関付けるために使用して、ＩＧＳナビゲーション（ブロック４０６）を提供する。
【００４３】
Ｖ．画像誘導外科システムを登録及び較正する例示的な代替的センサプローブ
図１２〜図１３は、較正器具（１３４）などのこれまでに議論した接触プローブと同様の方法で、一度に患者の１つの点を登録するために使用することができる、例示的な代替的センサプローブを示している。図１２に示されているプローブ（５００）は、プローブトランスミッタ（５０２）、プローブレシーバ（５０４）、位置センサ（５０６）及び近接トリガ（５０８）を備える。プローブトランスミッタ（５０２）及びプローブレシーバ（５０４）は、個別の構成要素として示されている一方、プローブトランスミッタ（５０２）及びプローブレシーバ（５０４）は、実際に、一部の変形形態では、単一構成要素に一体化され得る。プローブ（５００）は、さまざまな形態で実装され得、例えば、較正器具（１３４）の細長型本体（１３８）に類似のハウジングは、図１２の１つ以上の構成要素を含むか、又はこれらに取り付けることができる。タッチペン様形状が、快適でユーザーに親しまれ得るので（例えば、鉛筆のグリップ用いてプローブ（５００）を把持する）、較正器具（１３４）のものなどのハウジング又は本体は、プローブ（５００）にとって望ましい形態となり得る。
【００４４】
標的領域（２１１）上の点を登録する際に、プローブ（５００）は、センサアレイ（２００）と同様の方法で動作する。プローブトランスミッタ（５０２）及びプローブレシーバ（５０４）が、（例えば、プローブ（５００）が、図２のそれと類似した形態で実装される場合、丸みのある遠位先端部における）プローブの先端部の方向に位置決めされ得、起動されると、上記のとおり、センサアレイ（２００）のセンサ（２０４）と同様に機能する。特に、光学トランスミッタ、超音波トランスミッタ、又は他の無線トランスミッタを含むことができる、プローブトランスミッタ（５０２）は、図１３に示されているとおり、標的領域（２１１）にプローブ信号（５１２）を送信する。プローブ信号は、反射、共鳴、又は標的領域（２１１）から他の方法で戻り、応答信号（５１４）としてプローブレシーバ（５０４）によって受信される。プローブ信号送信と応答信号の受信との間を移動する時間は、ＩＧＳシステム（３００）又は別の処理デバイスによって使用されて、プローブ（５００）と標的領域（２１１）との間の距離を判定することができる。この距離は、位置センサ（５０６）によって供給されるプローブ（５００）の位置及び配向と組み合わされて、次に、三次元空間における標的領域（２１１）の登録済の点を判定することができる。位置センサ（５０６）は、プローブ（５００）の位置及び配向を提供するために、三軸センサ、加速度計に基づく位置決めセンサ、磁気位置決めセンサ、又は領域位置決めシステム（３０６）として機能し得る又はこれと一緒に機能し得る他の位置決めセンサを含むことができる。
【００４５】
プローブ（５００）の近接トリガ（５０８）は、それ自体、センサを備えてもよく、又は標的領域（２１１）に対するリアルタイムの近接部を判定するよう構成されている、プローブトランスミッタ（５０２）及びプローブレシーバ（５０４）の特徴部又は構成であってよく、標的のある近接部内にある場合、標的領域（２１１）の点をキャプチャして登録する。これによって、プローブ（５００）は、ユーザーが、登録点データをキャプチャするため、ボタン、脚踏みペダルをクリックする、又はある閾値を超える力で標的領域（２１１）に接触させる必要性を回避するよう、自動的に起動して、標的領域（２１１）に近接して位置決めされたときの点を登録することが可能となる。この方法で、ユーザーは、登録過程を完了するため、近接トリガ（５０８）に、標的領域（２１１）の点を登録させる近接部内の標的領域（２１１）の周囲にプローブ（５００）を移動することができる。実際に、これによって、プローブ（５００）は、標的領域（２１１）の任意の点を実質的に押し付けることなく、又は登録の正確性を減じるおそれのある登録を誘発する他の作用が生じることなく、標的領域（２１１）全体にわたる、いくつかの点を速やかに登録することが可能となると思われる。
【００４６】
一部の変形形態では、プローブ（５００）は、容量センサ又は抵抗センサを備えており、これらの一方が使用されて、プローブトランスミッタ（５０２）とプローブレシーバ（５０４）との組合せ物を効果的に形成する（又は、これらの代わりとして働く）ことができる。そのような変形形態では、容量センサ又は抵抗センサは、患者の顔面との接触を検出することが可能となり得、それにより、患者の顔面上に比較的軽く接触して、位置を登録することができる。言い換えると、操作者は、患者の顔面との接触により、容量センサ又は抵抗センサを起動させるために、かなりの力で患者の顔面にプローブ（５００）を押し付ける必要がない。したがって、プローブ（５００）の正常な使用中に、位置データが不正確になる点まで患者の顔面が変形するリスクがほとんどない。
【００４７】
較正器具（１３４）の状況で上に明記したとおり、プローブ（５００）は、患者の顔面上の登録点（１４２）を投影するために使用される１つ以上のレーザに連動させて使用することができ、こうして、操作者は、プローブ（５００）を使用して、患者の顔面にレーザが照射された各点の位置を登録しなければならない。プローブ（５００）の使用は、センサアレイ（２００）より遅いことがあるが、較正器具（１３４）などのプローブの使用よりも、やはりかなり速くなり得る。プローブ（５００）は、使用の簡単さ、複雑さの低減（例えば、多数のセンサではなく１つのセンサ）、電力消費量の低下、移動度の向上（例えば、装着されたアーム又はシーリングよりも携帯性がある）、費用の削減、及び本開示に照らし合わせると当業者に明白な他の類似の有益性などの追加的な有益な特徴を実現することができる。
【００４８】
分かるとおり、登録センサは、センサアレイ（２００）又はプローブ（５００）の形態よりも多い、さまざまな形態で実装され得る。これは、例えば、標的領域全体に通過され得る長手方向の部材に沿って配設された一列のセンサ、標的領域の周りで回転され得る曲がった部材に沿って配設されている１つ以上の列のセンサ、又は他の類似構成体を含むことができる。
【００４９】
センサアレイ（２００）及びプローブ（５００）に利用可能なものとして、本明細書に記載されているさまざまな種類のセンサ（例えば、光学センサ、超音波センサ、近接センサ、容量センサ、抵抗センサなど）が、産業／製造設定（例えば、組み立てラインなどにおける対象物の追跡）に公知な程度に、本状況は実質的にさまざまであることが理解されよう。産業／製造設定では、追跡された対象物は、一貫した表面幾何形状（例えば、感知された表面が平坦である）、一貫した表面色調及び／又は他の一貫した特性を有する可能性が一層高くなり得る。しかし、ヒト対象に関与する医療手技の現在の状況では、センサは、検知表面の間で、実質的に一層大きな範囲の変化を受けることがある。このような変化は、さまざまな表面の外形、色調、リビディティ（lividity）、及び／又はヒトの顔面の特性の他の変化を含むことができる。一部の例では、センサ、及び／又はセンサが動作される方法が修正されて、検知された表面間のこのような変化を収容することができる。例えば、光学センサは、さまざまな患者の間の皮膚の色調の変化を一層容易に考慮するために、異なる光周波数（例えば、複数の周波数を掃引する）で動作するように構成されてもよい。センサ、及び／又はセンサが動作される方法が、ヒトの顔面特性間の変化を考慮するように修正され得る他の方法は、本明細書における教示を鑑みると当業者には明白となろう。
【００５０】
ＶＩ．例示的な組合せ
以下の実施例は、本明細書の教示を組み合わせるか又は適用することができる、種々の非網羅的な方法に関する。以下の実施例は、本出願における又は本出願の後の出願におけるどの時点でも提示され得る、いずれの請求項の適用範囲をも限定することを目的としたものではない、と理解すべきである。一切の棄権を意図するものではない。以下の実施例は、単なる例示の目的で与えられるものに過ぎない。本明細書の種々の教示は、他の多くの方法で構成及び適用が可能であると考えられている。また、いくつかの変形形態では、以下の実施例において言及される特定の特徴を省略してよいことも、考えられる。したがって、本発明者又は本発明者の利益の継承者により、後日、そうである旨が明示的に示されないかぎり、以下に言及される態様又は特徴のいずれも重要なものとして見なされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例１】
【００５１】
標的領域の登録のためのシステムであって、（ａ）センサアレイ本体と、（ｂ）センサアレイ本体に取り付けられた複数の距離センサであって、距離センサの各々が、標的領域の方向に向くよう位置決めされており、かつ標的領域の登録点とそのセンサとの間の距離を判定するよう動作可能である、距離センサと、（ｃ）センサアレイ本体に取り付けられており、センサアレイ本体の位置及び配向を提供するように動作可能な位置センサと、（ｄ）少なくとも１つのプロセッサであって、距離センサの各々に対する距離、配向及び位置に基づいて、手技空間内の標的領域の複数の登録済の点の三次元位置を判定するよう構成されている、少なくとも１つのプロセッサと、を備える、システム。
【実施例２】
【００５２】
距離センサが、長方形、正方形、丸形、三角形及び楕円形からなる群から選択される形状で配列されている、実施例１のシステム。
【実施例３】
【００５３】
センサアレイ本体の面が、実質的に平面であり、少なくとも１つのプロセッサが、センサアレイ本体内に収容されている、実施例１〜２のいずれか１つ以上のシステム。
【実施例４】
【００５４】
距離センサが、光学センサ、超音波センサ及び磁気センサからなる群から選択されるタイプを含む、実施例１〜３のいずれか１つ以上のシステム。
【実施例５】
【００５５】
少なくとも１つのプロセッサが、複数の距離センサの各センサに関して、（ｉ）そのセンサによって送信されるプローブ信号の原点位置を判定することであって、原点位置が、センサアレイ本体の位置及び配向に基づいて、手技空間内のそのセンサの位置を表示すること、並びに（ｉｉ）原点位置、及び標的領域の登録点に衝突する前に、プローブ信号が移動した距離に基づいて、そのセンサの登録済の点を判定すること、により、複数の登録済の点の三次元位置を判定するように構成されている、実施例１〜４のいずれか１つ以上のシステム。
【実施例６】
【００５６】
少なくとも１つのプロセッサが、センサアレイ本体に対する標的領域の配向を判定するよう、標的領域及びセンサアレイ本体が実質的に平行ではない場合に、複数の距離センサの各センサに関して、オフセット値を判定するよう、並びに原点位置、プローブ信号が移動した距離及びオフセット値に基づいて、そのセンサに対する登録済の点を判定するよう、更に構成されている、実施例５のシステム。
【実施例７】
【００５７】
少なくとも１つのプロセッサに標的領域の配向をもたらすよう構成されている標的領域配向センサを更に備える、実施例６のシステム。
【実施例８】
【００５８】
少なくとも１つのプロセッサのナビゲーションプロセッサが、複数の登録済の点と標的領域の一式の術前画像とを関連付けるよう、及び複数の登録済の点、一式の術前画像、及び手技の間に使用される手術用器具の位置センサにより提供される一式の器具データの関連付けに基づいて手技の間の画像誘導手術ナビゲーションインタフェースを設けるよう、構成されている、実施例１〜７のいずれか１つ以上のシステム。
【実施例９】
【００５９】
距離センサは、複数の登録済の点の位置が判定されると、標的位置から約４インチ〜２０インチの距離で位置決めされ、かつ動作可能であるよう構成されている、実施例１〜８のいずれか１つ以上のシステム。
【実施例１０】
【００６０】
配向インジケータを更に備え、センサアレイ本体が標的領域に実質的に平行ではないときに、配向インジケータがユーザーに表示を提供するよう構成されている、実施例１〜９のいずれか１つ以上のシステム。
【実施例１１】
【００６１】
自動化アームを更に備え、自動化アームは、センサアレイ本体が標的領域に実質的に平行になるように、センサアレイ本体を配向するよう動作可能である、実施例１〜１０のいずれか１つ以上のシステム。
【実施例１２】
【００６２】
複数の距離センサが、少なくとも３０個の個々のセンサを備え、複数の距離センサは、送信されたプローブ信号が、標的領域の実質的にすべてに衝突するように、センサアレイ本体上に位置決めされている、実施例１〜１１のいずれか１つ以上のシステム。
【実施例１３】
【００６３】
そのプローブ信号が使用中に標的領域から外れる、複数の距離センサの任意のセンサの場合、少なくとも１つのプロセッサが、そのセンサからの近接データを無視するよう更に構成されている、実施例１〜１２のいずれか１つ以上のシステム。
【実施例１４】
【００６４】
複数の登録済の点の三次元位置を判定するために使用したデータを収集するために、複数の距離センサが一旦、起動されるように構成されている、実施例１〜１３のいずれか１つ以上のシステム。
【実施例１５】
【００６５】
登録プローブであって、（ａ）ユーザーによって保持されるようになされている細長型本体であって、遠位先端部を備える、細長型本体と、（ｂ）遠位先端部に位置する標的センサであって、遠位先端部が患者の顔面に押し付けられる必要なしに、標的センサが、遠位先端部の前の患者の顔面の存在を検出するよう動作可能である、標的センサと、（ｃ）非接触式登録プローブの位置及び配向を提供するよう動作可能である位置センサと、（ｄ）少なくとも１つのプロセッサであって、（ｉ）標的センサを起動するよう、（ｉｉ）標的センサからの信号に基づいて登録済の点として手技空間内の標的の三次元位置を判定するよう、及び（ｉｉｉ）信号が標的センサから受信されたときに、登録プローブの位置及び配向を判定するよう、構成されている、少なくとも１つのプロセッサと、を備える、登録プローブ。
【実施例１６】
【００６６】
遠位先端部が標的のキャプチャ距離内にあるとき、標的センサを起動させて登録済の点を判定させるよう構成されている近接トリガを更に備える、実施例１５の登録プローブ。
【実施例１７】
【００６７】
標的センサが容量センサ又は抵抗センサを含む、実施例１５〜１６のいずれか１つ以上の登録プローブ。
【実施例１８】
【００６８】
標的センサが、光学センサを含む、実施例１５〜１７のいずれか１つ以上の登録プローブ。
【実施例１９】
【００６９】
位置センサが、加速度計に基づくセンサ、磁気に基づくセンサ、及び無線ビーコンに基づくセンサからなる群から選択されるタイプを含む、実施例１５〜１８のいずれか１つ以上の登録プローブ。
【実施例２０】
【００７０】
画像誘導手術ナビゲーションのための顔面の目印を登録する方法であって、（ａ）センサアレイの複数の距離センサが、標的領域の方を向いてこれに実質的に平行となるようセンサアレイを位置決めすることであって、標的領域が患者の顔面領域である、ことと、（ｂ）センサアレイを起動して、標的領域内の標的点に衝突する前に、複数の距離センサの各々に由来するプローブ信号が移動した距離を表示する一式の距離をキャプチャすることと、（ｃ）三次元空間内のセンサアレイの位置及び配向を判定することと、（ｄ）標的領域内の各標的点に関して、センサアレイの位置及び配向、並びにプローブ信号が移動した距離に基づいて、その標的点の三次元位置を判定することにより、一式の登録済の点を生成することと、（ｅ）一式の登録済の点と一式の術前画像とを関連付けることによりナビゲーションデータセットを生成することと、（ｆ）ナビゲーションデータセットに基づいた画像誘導手術ナビゲーションを実現することと、を含む、方法。
【００７１】
ＶＩＩ．その他
本明細書に記載されている実施例のうちのいずれも、上述のものに加えて又はそれに代えて、さまざまな他の特徴を含み得ることが理解されるべきである。単なる例として、本明細書に記載されている実施例のうちのいずれも、参照により本明細書に組み込まれているさまざまな参考文献のいずれかに開示されているさまざまな特徴のうちの１つ以上を含むこともできる。
【００７２】
本明細書に記載の教示、表現要素、実施形態、実施例などのうちのいずれか１つ以上を、本明細書に記載の他の教示、表現要素、実施形態、実施例などのうちのいずれか１つ以上と組み合わせることができる点が理解されるべきである。したがって、上記の教示、表現、実施形態、実施例など）、互いに対して独立して考慮されるべきではない。本明細書における教示を鑑みると、本明細書の教示を組み合わせることができる種々の好適な方法が、当業者には直ちに明らかとなろう。このような改変及び変形形態は、「特許請求の範囲」内に含まれるものとする。
【００７３】
本明細書に参考として組み込まれると言及されたいかなる特許、公報、又は他の開示内容も、全体的に又は部分的に、組み込まれた内容が現行の定義、見解、又は本明細書に記載される他の開示内容とあくまで矛盾しない範囲でのみ本明細書に組み込まれる、と理解されなければならない。それ自体、また必要な範囲で、本明細書に明瞭に記載される開示内容は、参照により本明細書に組み込まれるあらゆる矛盾する記載に優先するものとする。参照により本明細書に組み込まれるものとするが、既存の定義、記述、又は本明細書に記載される他の開示文献と矛盾する任意の文献、又はそれらの部分は、組み込まれる文献と既存の開示内容との間に矛盾が生じない範囲でしか組み込まれないものとする。
【００７４】
本明細書に開示されるデバイスの変形形態は、１回の使用後に処分されるように設計するか又は複数回使用されるように設計することができる。変形形態は、一方又はその両方の場合において、少なくとも１回の使用後に再利用のために再調整されてよい。再調整は、装置の分解工程、それに続く特定の部品の洗浄又は交換工程、及びその後の再組み立て工程の、任意の組合せを含み得る。特に、デバイスの変形形態は、分解することができ、かつ、デバイスの任意の数の特定の部品若しくは部分を、任意の組合せにおいて選択的に交換又は取り外してもよい。特定の部品を洗浄時及び／又は交換時に、デバイスの変形形態は、再調整用の施設において、又は外科手技の直前に外科チームによってのどちらかで、その後の使用のために再組立てすることができる。当業者であれば、デバイスの再調整において、分解、洗浄／交換、及び再組み立てのためのさまざまな技術を利用することができることを理解するであろう。こうした技術の使用、及び結果として得られる再調整されたデバイスは、すべて本出願の範囲内にある。
【００７５】
単なる例として、本明細書に記載の変形形態は、手術前に処理することができる。まず、新品又は使用済みの器具を入手し、必要に応じて洗浄することができる。次いで、器具を滅菌することができる。１つの滅菌技術では、器具は、プラスチックバッグ又はＴＹＶＥＫバッグなど、閉鎖され密封された容器に入れられる。次いで、容器及び器具を、γ線、Ｘ線、又は高エネルギー電子などの容器を透過し得る放射線野に置くことができる。放射線は、器具上及び容器内の細菌を死滅させることができる。次いで、滅菌済みの器具を滅菌容器内で保管することができる。密封容器は、手術設備で開封されるまで器具を滅菌状態に保つことができる。β線若しくはγ線、エチレンオキシド、又は水蒸気が挙げられるがこれらに限定されない、当該技術分野で周知の他の任意の技術を用いて、デバイスを滅菌してもよい。
【００７６】
本発明のさまざまな変形形態について図示し説明したが、本明細書で説明した方法及びシステムの更なる応用が、当業者による適切な改変形態により、本発明の範囲から逸脱することなく実現可能である。このような可能な改変のうちのいくつかについて述べたが、他の改変も当業者には明らかとなるであろう。例えば、上述の実施例、変形形態、幾何形状、材料、寸法、比率、工程などは例示的なものであって、必須ではない。したがって、本発明の範囲は、以下の特許請求の範囲の観点から考慮されるべきものであり、本明細書及び図面において図示され、説明された構造及び動作の細部に限定されないものとして、理解されたい。
【００７７】
〔実施の態様〕
（１）  標的領域の登録のためのシステムであって、
（ａ）センサアレイ本体と、
（ｂ）前記センサアレイ本体に取り付けられた複数の距離センサであって、前記距離センサの各々が、前記標的領域の方向に向くよう位置決めされており、かつ前記標的領域の登録点とそのセンサとの間の距離を判定するよう動作可能である、距離センサと、
（ｃ）前記センサアレイ本体に取り付けられており、前記センサアレイ本体の位置及び配向を提供するように動作可能な位置センサと、
（ｄ）少なくとも１つのプロセッサであって、前記距離センサの各々に対する前記距離、前記配向及び前記位置に基づいて、手技空間内の前記標的領域の複数の登録済の点の前記三次元位置を判定するよう構成されている、少なくとも１つのプロセッサと、
を備える、システム。
（２）  前記距離センサが、長方形、正方形、丸形、三角形及び楕円形からなる群から選択される形状で配列されている、実施態様１に記載のシステム。
（３）  前記センサアレイ本体の面が、実質的に平面であり、前記少なくとも１つのプロセッサが、前記センサアレイ本体内に収容されている、実施態様１に記載のシステム。
（４）  前記距離センサが、光学センサ、超音波センサ及び磁気センサからなる群から選択されるタイプを含む、実施態様１に記載のシステム。
（５）  前記少なくとも１つのプロセッサが、前記複数の距離センサの各センサに関して、
（ｉ）そのセンサによって送信されるプローブ信号の原点位置を判定することであって、前記原点位置が、前記センサアレイ本体の前記位置及び前記配向に基づいて、前記手技空間内のそのセンサの位置を表示すること、及び
（ｉｉ）前記原点位置、及び前記標的領域の前記登録点に衝突する前に、前記プローブ信号が移動した距離に基づいて、そのセンサの登録済の点を判定すること、
により、前記複数の登録済の点の前記三次元位置を判定するように構成されている、実施態様１に記載のシステム。
【００７８】
（６）  前記少なくとも１つのプロセッサが、
（ｉ）前記センサアレイ本体に対する前記標的領域の配向を判定するよう、
（ｉｉ）前記標的領域及び前記センサアレイ本体が実質的に平行ではない場合に、前記複数の距離センサの各センサに関して、オフセット値を判定するよう、並びに
（ｉｉｉ）前記原点位置、前記プローブ信号が移動した前記距離及び前記オフセット値に基づいて、そのセンサに対する前記登録済の点を判定するよう、更に構成されている、実施態様５に記載のシステム。
（７）  前記少なくとも１つのプロセッサに前記標的領域の配向をもたらすよう構成されている標的領域配向センサを更に備える、実施態様６に記載のシステム。
（８）  前記少なくとも１つのプロセッサのナビゲーションプロセッサが、
（ｉ）前記複数の登録済の点と前記標的領域の一式の術前画像とを関連付けるよう、及び
（ｉｉ）前記複数の登録済の点、前記一式の術前画像、及び手技の間に使用される手術用器具の位置センサにより提供される一式の器具データの前記関連付けに基づいて、前記手技の間の画像誘導手術ナビゲーションインタフェースを設けるよう、構成されている、実施態様１に記載のシステム。
（９）  前記距離センサは、前記複数の登録済の点の前記位置が判定されると、前記標的位置から約１０．１６ｃｍ〜５０．８ｃｍ（約４インチ〜２０インチ）の距離で位置決めされ、かつ動作可能であるよう構成されている、実施態様１に記載のシステム。
（１０）  配向インジケータを更に備え、前記センサアレイ本体が前記標的領域に実質的に平行ではないときに、前記配向インジケータがユーザーに表示を提供するよう構成されている、実施態様１に記載のシステム。
【００７９】
（１１）  自動化アームを更に備え、前記自動化アームは、前記センサアレイ本体が前記標的領域に実質的に平行になるように、前記センサアレイ本体を配向するよう動作可能である、実施態様１に記載のシステム。
（１２）  前記複数の距離センサが、少なくとも３０個の個々のセンサを備え、前記複数の距離センサは、前記送信されたプローブ信号が、前記標的領域の実質的にすべてに衝突するように、前記センサアレイ本体上に位置決めされている、実施態様１に記載のシステム。
（１３）  そのプローブ信号が使用中に前記標的領域から外れる、前記複数の距離センサの任意のセンサの場合、前記少なくとも１つのプロセッサが、そのセンサからの近接データを無視するよう更に構成されている、実施態様１に記載のシステム。
（１４）  前記複数の登録済の点の前記三次元位置を判定するために使用したデータを収集するために、前記複数の距離センサが一旦、起動されるように構成されている、実施態様１に記載のシステム。
（１５）  登録プローブであって、
（ａ）ユーザーによって保持されるようになされている細長型本体であって、遠位先端部を備える、細長型本体と、
（ｂ）前記遠位先端部に位置する標的センサであって、前記遠位先端部が患者の顔面に押し付けられる必要なしに、前記標的センサが、前記遠位先端部の前の前記患者の顔面の存在を検出するよう動作可能である、標的センサと、
（ｃ）前記非接触式登録プローブの位置及び配向を提供するよう動作可能である位置センサと、
（ｄ）少なくとも１つのプロセッサであって、
（ｉ）前記標的センサを起動するよう、
（ｉｉ）前記標的センサからの信号に基づいて登録済の点として手技空間内の前記標的の前記三次元位置を判定するよう、及び
（ｉｉｉ）前記信号が前記標的センサから受信されたときに、前記登録プローブの前記位置及び配向を判定するよう、
構成されている、少なくとも１つのプロセッサと、
を備える、登録プローブ。
【００８０】
（１６）  前記遠位先端部が前記標的のキャプチャ距離内にあるとき、前記標的センサを起動させて前記登録済の点を判定させるよう構成されている近接トリガを更に備える、実施態様１５に記載の登録プローブ。
（１７）  前記標的センサが、容量センサ又は抵抗センサを含む、実施態様１５に記載の登録プローブ。
（１８）  前記標的センサが、光学センサを含む、実施態様１５に記載の登録プローブ。
（１９）  前記位置センサが、加速度計に基づくセンサ、磁気に基づくセンサ、及び無線ビーコンに基づくセンサからなる群から選択されるタイプを含む、実施態様１５に記載の登録プローブ。
（２０）  画像誘導手術ナビゲーションのための顔面の目印を登録する方法であって、
（ａ）センサアレイの複数の距離センサが、標的領域の方を向いてこれに実質的に平行となるよう前記センサアレイを位置決めすることであって、前記標的領域が患者の顔面領域である、ことと、
（ｂ）前記センサアレイを起動して、前記標的領域内の標的点に衝突する前に、前記複数の距離センサの各々に由来するプローブ信号が移動した距離を表示する一式の前記距離をキャプチャすることと、
（ｃ）三次元空間内の前記センサアレイの位置及び配向を判定することと、
（ｄ）前記標的領域内の各標的点に関して、前記センサアレイの前記位置及び前記配向、並びに前記プローブ信号が移動した前記距離に基づいて、その標的点の前記三次元位置を判定することにより、一式の登録済の点を生成することと、
（ｅ）前記一式の登録済の点と一式の術前画像とを関連付けることによりナビゲーションデータセットを生成することと、
（ｆ）前記ナビゲーションデータセットに基づいた画像誘導手術ナビゲーションを実現することと、
を含む、方法。
【図１】
2021507763.tif 000003
【図２】
2021507763.tif 000004
【図３】
2021507763.tif 000005
【図４】
2021507763.tif 000006
【図５】
2021507763.tif 000007
【図６】
2021507763.tif 000008
【図７】
2021507763.tif 000009
【図８】
2021507763.tif 000010
【図９】
2021507763.tif 000011
【図１０】
2021507763.tif 000012
【図１１】
2021507763.tif 000013
【図１２】
2021507763.tif 000014
【図１３】
2021507763.tif 000015
【国際調査報告】
2021507763.tif 000016
2021507763.tif 000017
2021507763.tif 000018